(57)【要約】【課題】複数の印刷ジョブの中のエラー状態の印刷ジョブをユーザが確認でき、エラー状態の印刷ジョブを後に忘れずに処理することができ、さらに、エラー状態の印刷ジョブ以外の印刷ジョブを全て処理するときに手間がかからない印刷装置の提供。【解決手段】印刷装置１では、表示部４ｂが、印刷ジョブキュー内の印刷ジョブのリスト表示の際、エラーの印刷ジョブについてエラー発生を判別可能に表示し、印刷ジョブ管理部９が、印刷ジョブキュー内のエラージョブに対してユーザが除外操作を行ったことを検出する除外検出部９ａを有し、除外検出部９ａが除外操作を検出したときに当該印刷ジョブを印刷ジョブキューから保留ジョブとして除外し、表示部４ｂが、保留ジョブとされた印刷ジョブが存在することを表示し、印刷ジョブ管理部９が、保留ジョブとされた印刷ジョブを印刷ジョブキューに戻す。【選択図】図１
2014201038.tif 000002
【特許請求の範囲】
【請求項１】
印刷ジョブキューの管理を含む印刷ジョブの管理を行う印刷ジョブ管理部と、
前記印刷ジョブキュー内の印刷ジョブの処理結果に基づいて順次画像形成する画像形成部と、
印刷ジョブの情報を記憶する記憶部と、
少なくとも前記印刷ジョブキュー内の印刷ジョブをリスト表示可能な表示部とを備え、
前記表示部は、前記リスト表示の際、エラーが発生している印刷ジョブについてエラーが発生していることを判別可能に表示し、
前記印刷ジョブ管理部は、前記印刷ジョブキュー内のエラーが発生している印刷ジョブに対してユーザが除外操作を行ったことを検出する除外操作検出部を有し、該除外操作検出部が前記除外操作を検出したときに当該印刷ジョブを前記印刷ジョブキューから保留ジョブとして除外し、該保留ジョブを前記記憶部に記憶させ、
前記表示部は、前記保留ジョブとされた印刷ジョブが存在することを表示し、
前記印刷ジョブ管理部は、所定のタイミングで、前記保留ジョブとされた印刷ジョブを前記印刷ジョブキューに戻すことを特徴とする印刷装置。
【請求項２】
前記印刷ジョブ管理部は、前記保留ジョブとされた印刷ジョブの印刷指示を行ったユーザが再ログインしたことを検出するログイン検出部を有し、前記再ログインを検出したときに、当該保留ジョブを前記印刷ジョブキュー内に戻すことを特徴とする請求項１に記載の印刷装置。
【請求項３】
前記印刷ジョブ管理部は、前記エラーが発生している印刷ジョブが前記印刷ジョブキュー内に存在する状態で、当該印刷ジョブの印刷指示を行ったユーザが当該印刷装置からログアウトしたことを検出したときに、当該印刷ジョブを前記印刷ジョブキューから除外し前記保留ジョブとすることを特徴とする請求項１または２に記載の印刷装置。
【発明の詳細な説明】
【技術分野】
【０００１】
本発明は、複数の印刷ジョブを順次処理する印刷装置に関するものである。
【背景技術】
【０００２】
従来、印刷装置のうち、ネットワーク接続されたパーソナルコンピュータ（ＰＣ：Personal Computer）等の外部端末から受信した複数の印刷ジョブを順次処理するものでは、エラーが発生している印刷ジョブが次の印刷ジョブの障害となることを防止するための技術として、エラーが発生している印刷ジョブを自動的にスキップさせて次の印刷ジョブを実行させるものが提案されている（特許文献１及び２参照）。
【先行技術文献】
【特許文献】
【０００３】
【特許文献１】特開２００３−２５１８９４号公報
【特許文献２】特開２００４−１３２０号公報
【発明の開示】
【発明が解決しようとする課題】
【０００４】
しかしながら、特許文献１及び２に開示の技術では、エラーが発生している印刷ジョブ以外の印刷ジョブは印刷できるものの、エラーが発生している印刷ジョブに対してはスキップさせることによりエラー発生の認識を遅らせることになってしまって、放置される可能性が高かった。
なお、複数の印刷ジョブの中にエラーが発生しているジョブがあった場合の技術としては、以下の技術がある。まず、図１１に示すような、複数の印刷ジョブのリスト表示画面Ｐ１００を印刷装置の表示部に表示し、用紙切れ等によりエラー状態となっている印刷ジョブ名が「○△×」の印刷ジョブをユーザに確認させる。そして、ユーザが、エラー状態の印刷ジョブ以外の印刷ジョブに表示されている矢印箇所Ｐ１０１の表示部分を操作したときに、印刷装置は、該当する後続の印刷ジョブを優先ジョブとして処理させる技術である。
しかし、この技術では、エラーとなっていない印刷ジョブが複数ある場合、それらを全て印刷させるには各々を優先ジョブとして指定する必要があり、手間がかかる。
【０００５】
本発明は、上述の実情に鑑みてなされたもので、複数の印刷ジョブの中のエラー状態の印刷ジョブをユーザが確認でき、エラー状態の印刷ジョブを後に忘れずに処理することができ、さらに、エラー状態の印刷ジョブ以外の印刷ジョブを全て処理するときに手間がかからない印刷装置を提供することを目的とする。
【課題を解決するための手段】
【０００６】
上記課題を解決するために、本発明の第１の技術手段は、印刷装置であって、印刷ジョブキューの管理を含む印刷ジョブの管理を行う印刷ジョブ管理部と、前記印刷ジョブキュー内の印刷ジョブの処理結果に基づいて順次画像形成する画像形成部と、印刷ジョブの情報を記憶する記憶部と、少なくとも前記印刷ジョブキュー内の印刷ジョブをリスト表示可能な表示部とを備え、前記表示部が、前記リスト表示の際、エラーが発生している印刷ジョブについてエラーが発生していることを判別可能に表示し、前記印刷ジョブ管理部が、前記印刷ジョブキュー内のエラーが発生している印刷ジョブに対してユーザが除外操作を行ったことを検出する除外操作検出部を有し、該除外操作検出部が前記除外操作を検出したときに当該印刷ジョブを前記印刷ジョブキューから保留ジョブとして除外し、該保留ジョブを前記記憶部に記憶させ、前記表示部が、前記保留ジョブとされた印刷ジョブが存在することを表示し、前記印刷ジョブ管理部が、所定のタイミングで、前記保留ジョブとされた印刷ジョブを前記印刷ジョブキューに戻すことを特徴としたものである。
【０００７】
本発明の第２の技術手段は、第１の技術手段において、前記印刷ジョブ管理部は、前記保留ジョブとされた印刷ジョブの印刷指示を行ったユーザが再ログインしたことを検出するログイン検出部を有し、前記再ログインを検出したときに、当該保留ジョブを前記印刷ジョブキュー内に戻すことを特徴としたものである。
【０００８】
本発明の第３の技術手段は、第１または第２の技術手段において、前記印刷ジョブ管理部は、前記エラーが発生している印刷ジョブが前記印刷ジョブキュー内に存在する状態で、当該印刷ジョブの印刷指示を行ったユーザが当該印刷装置からログアウトしたことを検出したときに、当該印刷ジョブを前記印刷ジョブキューから除外し前記保留ジョブとすることを特徴としたものである。
【発明の効果】
【０００９】
本発明の印刷装置によれば、複数の印刷ジョブの中のエラー状態の印刷ジョブをユーザが確認でき、エラー状態の印刷ジョブを後に忘れずに処理することができ、さらに、エラー状態の印刷ジョブ以外の印刷ジョブを全て処理するときにユーザに手間がかからないようにすることができる。
【図面の簡単な説明】
【００１０】
【図１】本発明の印刷装置の一例の構成を示すブロック図である。
【図２】図１の印刷装置の表示部に表示される表示画面の一例を示す図である。
【図３】図１の印刷装置の表示部に表示される表示画面の一例を示す図である。
【図４】図１の印刷装置の表示部に表示される表示画面の一例を示す図である。
【図５】図１の印刷装置１の処理例を示すフローチャートである。
【図６】図１の印刷装置の表示部に表示される表示画面の一例を示す図である。
【図７】本発明の印刷装置の他の例の構成を示すブロック図である。
【図８】図７の印刷装置の表示部に表示される表示画面の一例を示す図である。
【図９】図１の印刷装置１の処理例を示すフローチャートである。
【図１０】図１の印刷装置１の処理例を示すフローチャートである。
【図１１】本発明の課題を説明するための図である。
【発明を実施するための形態】
【００１１】
図１は、本発明の印刷装置の一例の構成を示すブロック図である。図２〜図４、図６はそれぞれ、図１の印刷装置の後述の表示部に表示される表示画面の一例を示す図である。なお、図２〜図４、図６において、同様な部分であって同じ参照符号を付したものについてはその説明を省略することがある。また、図５は、図１の印刷装置１の処理例を示すフローチャートである。
【００１２】
図１の印刷装置１は、ネットワーク１１に接続され、例えばＰＣ１２などの情報処理装置からユーザが印刷指示した印刷ジョブを受信して、記録紙などの記録媒体に印刷（画像形成）が可能となっている。
また、印刷装置１は、当該装置の各要素を制御する制御部２と、ネットワーク１１とのインタフェースを構成するネットワークＩＦ（インタフェース）３と、ユーザからの操作を受け付ける操作表示部４と、を備える。操作表示部４は、ユーザの操作により制御命令などの情報が入力されるタッチパネル又はテンキー等の入力部４ａと、操作画面や操作のために必要な情報を表示する液晶パネル等の表示部４ｂとからなっている。
【００１３】
さらに、印刷装置１は、ＰＣ１２等の外部機器との通信を制御する通信部５と画像データやプログラムなどを記憶する記憶部６と、印刷データの印刷を行う画像形成部７と、ＰＣ１２等から受信した印刷ジョブに従って画像形成部７で印刷を行うための印刷画像データを生成する印刷画像データ生成部８とを備えている。
例えば、ＰＣ１２等のアプリケーションにより作成された印刷データは、ＰＣ１２等のプリンタドライバによってページ記述言語で作成されたデータ（ＰＤＬデータ）に変換され、印刷ジョブとして印刷装置１に送信される。
【００１４】
印刷装置１の印刷画像データ生成部８は、受信したＰＤＬデータに含まれるコマンドを解析して、描画オブジェクト及びその属性を示す情報を含む中間データを生成し、生成した中間データをレンダリングすることによって印刷画像データであるラスタイメージデータを生成する。画像形成部７では、生成されたラスタイメージデータに基づいて、記録用紙等の記録媒体に印刷を行う。
【００１５】
また、印刷装置１は、受信した印刷ジョブの管理を行う印刷ジョブ管理部９を有する。印刷ジョブの管理には、印刷ジョブキューの管理が含まれ、例えば、印刷ジョブを受信した順に印刷画像データ生成部８で順次処理させるために、受信した印刷ジョブを印刷ジョブキューに順次登録している。また、印刷ジョブ管理部９は、印刷ジョブの処理状態を管理し、例えば、印刷ジョブが処理待機中すなわち印刷待ちの状態であるか、あるいは、エラーの状態であるか等を管理する。印刷ジョブがエラーの状態とは、例えば、当該印刷ジョブにおいて指定されている用紙が用紙切れとなっている場合がある。さらに、印刷ジョブ管理部９は、記憶部６を用いて、印刷ジョブ毎に、当該印刷ジョブのジョブ名や、当該印刷ジョブを印刷指示したユーザ名も管理する。ユーザ名に代えて又は加えて印刷ジョブの送信元のＰＣ等の端末名を管理するようにしてもよい。
印刷ジョブ管理部９の除外操作検出部９ａについては後述する。
【００１６】
以上のような各部から構成される印刷装置１では、例えば、図２のリスト表示画面Ｐ１を表示部４ｂに表示することにより、ユーザが印刷ジョブキュー内の印刷ジョブそれぞれの処理状態をリスト表示から確認できるようになっている。このリスト表示は例えば入力部４ａに対するユーザの表示指示操作に応じて行われる。
【００１７】
図２のリスト表示画面Ｐ１では、印刷ジョブキュー内の複数の印刷ジョブそれぞれについて、当該印刷ジョブのジョブ名Ｐ１１、当該印刷ジョブの印刷指示を行ったユーザ名Ｐ１２、当該印刷ジョブの印刷状況Ｐ１３が表示されている。例えば、そのジョブ名が「○△×」である印刷ジョブについて、印刷指示したユーザ名が「ｓｘｙｙｚｚ」であり「エラー」状態にあることが表示されており、そのジョブ名が「○□△」である印刷ジョブについて、印刷指示したユーザ名が「ｓｘｙｚｘｙｚ」であり「印刷待ち」状態にあることが表示されている。
【００１８】
印刷装置１では、エラーとなっている印刷ジョブをリスト表示画面Ｐ１により確認したユーザが、当該印刷ジョブを印刷ジョブキューから除外できるように以下のような構成となっている。
すなわち、印刷装置１では、エラーが発生している印刷ジョブに対して、除外操作をユーザが行ったことを、除外操作検出部９ａにより検出し、該検出によって、印刷ジョブ管理部９が、当該印刷ジョブを印刷ジョブキューから除外し、当該印刷ジョブを保留ジョブとして記憶部６に記憶する。以下、印刷ジョブキューから除外され保留ジョブとして記憶された印刷ジョブを保留ジョブという。
なお、除外操作は、例えば、入力部４ａとして表示部４ｂに対してタッチパネルが備えていれば、リスト表示画面Ｐ２のエラーが発生している印刷ジョブの表示部分をタッチした後に後述の保留ジョブボックスＰ１４の表示部分をタッチする操作であり、入力部４ａのキーを用いた操作であってもよい。
【００１９】
上述のように、印刷装置１では、エラーが発生している印刷ジョブを印刷ジョブキューから除外するので、印刷待ちであった印刷ジョブを順次印刷することができる。言いかえれば、図１１の技術とは異なり、エラー状態の印刷ジョブ以外の印刷ジョブを全て処理するときに、ユーザが印刷ジョブ各々を選択指定する必要がなく手間がかからない。
【００２０】
さらに、印刷装置１では、保留ジョブが存在することを表示部４ｂに表示することが可能となっている。
例えば、印刷装置１では、上述のような除外操作を検出し保留ジョブが存在するようになった場合、表示画面も上述のリスト表示画面Ｐ１から図３のリスト表示画面Ｐ２に切り替える。リスト表示画面Ｐ２では、図２のリスト表示画面Ｐ１においてエラーが発生していた印刷ジョブが印刷ジョブキューに存在せず当該印刷ジョブの次の印刷ジョブの処理状態が「処理中」となっているとともに、印刷ジョブキュー内の印刷ジョブのリスト表示領域とは別の領域に設けられた保留ジョブボックスＰ２１の色が図２の保留ジョブボックスＰ１４の色と異なっている。この保留ジョブボックスＰ１４，Ｐ２１の違いは、保留ジョブが存在するか否かを示すためのものである。また、保留ジョブが存在する場合のリスト表示画面Ｐ２では、保留ジョブボックスＰ２１に、当該ジョブの印刷指示を行ったユーザ名等の当該ジョブに係る情報を表示することが好ましい。
【００２１】
また、印刷装置１では、リスト表示画面Ｐ２１の保留ジョブが存在する保有ジョブボックスＰ２１がタッチ操作などにより選択されると、図４の保留ジョブ表示画面Ｐ３を表示部４ｂに表示する。保留ジョブ表示画面Ｐ３には、保留ジョブのジョブ名Ｐ３１、保留ジョブの印刷指示を行ったユーザ名Ｐ３２、保留ジョブの状況Ｐ３３が表示されている。
【００２２】
また、保留ジョブ表示画面Ｐ３には、矢印Ｐ３４が表示されており、当該矢印Ｐ３４が選択されると、印刷装置１では、印刷ジョブ管理部９が該当する保留ジョブを印刷ジョブキューの先頭に戻すようになっている。
このように、印刷装置１では、ユーザ操作に応じて、保留ジョブを印刷ジョブキューに戻すことができる。
印刷ジョブキューに戻された印刷ジョブは、印刷ジョブキューの先頭に戻された時点で、元のエラーの要因が解消されていれば処理が開始される。
【００２３】
続いて、図５を用いて、図１の印刷装置１の処理例を説明する。
印刷装置１は、当該印刷装置１に対するユーザの操作に応じて、印刷ジョブ管理部９にて管理している情報に基いて、図２のリスト画面表示Ｐ１等のリスト表示画面を表示部４ｂに表示し、印刷装置１において未処理の印刷ジョブをリスト表示する（ステップＳ１）。まず、新たに印刷ジョブを受信したか否か判定する（ステップＳ２）。受信していない場合（ＮＯの場合）、印刷ジョブ管理部９が、ステップＳ４に処理を進める。受信していた場合（ＹＥＳの場合）、当該受信した印刷ジョブを印刷ジョブキューの最下位／最後尾に追加し、ステップＳ４に処理を進める。この際、印刷ジョブキュー内に印刷ジョブが何も登録されていない場合、受信した印刷ジョブは第１の印刷ジョブとして追加される。
ステップＳ４において、印刷装置１は、印刷ジョブ管理部９にて管理している情報に基いて、リスト表示画面を更新し、第１の印刷ジョブにエラーが発生して停止しているか否か判定する（ステップＳ５）。なお、リスト表示画面の更新を行った際に、画面が変化しない場合もある。
【００２４】
ステップ５において、エラーが発生せず停止していない場合（ＮＯの場合）、画像形成部７が第１の印刷ジョブを処理する（ステップＳ６）。そして、印刷装置１は、エラーが発生せずに第１の印刷ジョブが完了したか否か判定し（ステップＳ７）、エラーが発生し完了しなかった場合（ＮＯの場合）、印刷ジョブ管理部９に通知し、ステップＳ２に処理を戻す。その後のステップＳ４におけるリスト表示画面の更新の際に、図２のリスト表示画面Ｐ１のような、エラー状態にある印刷ジョブが印刷ジョブキュー内に含まれた印刷ジョブのリスト表示画面が表示される。
【００２５】
一方、ステップＳ７においてエラーが発生せず完了した場合（ＹＥＳの場合）、印刷ジョブ管理部９にて第１の印刷ジョブを削除し（ステップＳ８）、印刷ジョブが印刷ジョブキューに残っているか否か判定する（ステップＳ９）。残っていない場合（ＮＯの場合）、印刷装置１は、印刷ジョブキュー内の印刷ジョブのリスト表示を停止したり、印刷ジョブキュー内に印刷ジョブがない状態の印刷ジョブリスト表示画面を表示するようリスト表示画面を更新したりした後に、処理を終了し待機状態とする。ステップＳ９において、印刷ジョブキューに印刷ジョブが残っている場合（ＹＥＳの場合）、印刷装置１は、ステップＳ２へ処理を戻す。その後のステップＳ４におけるリスト表示画面の更新の際に、ステップＳ８において削除された印刷ジョブが消去されたようなリスト表示画面が表示される。
【００２６】
また、ステップＳ５において、エラーが発生し停止していた場合（ＹＥＳの場合）、優先印刷が指示されたか否かを、例えば図２の優先印刷指示キーＰ１５に対して操作があったか否かに基いて判定する（ステップＳ１０）。印刷装置１は、ステップＳ１０において優先印刷が指示されていた場合（ＹＥＳの場合）、優先印刷が指示された印刷ジョブを印刷ジョブ管理部９により第１の印刷ジョブに移動させ（ステップＳ１１）、ステップＳ２に処理を戻す。その後のステップＳ４におけるリスト表示画面の更新の際に、優先印刷の印刷ジョブが１番目となりエラー状態の印刷ジョブが２番目に繰り下がった印刷ジョブのリスト表示画面が表示される。
ステップＳ１０において、優先印刷が指示されていない場合（ＮＯの場合）、印刷装置１は、処理をステップＳ１２へ進める。
【００２７】
ステップ１２では、印刷装置１は、除外操作検出部９ａにて除外操作が検出され第１の印刷ジョブが保留ジョブとする指示がされたか否か判定する。
ステップ１２において、保留ジョブとする指示がされた場合（ＹＥＳの場合）、印刷ジョブ管理部９が第１の印刷ジョブを印刷ジョブキューから削除するとともに保留ジョブとして記憶部６に記憶し（ステップＳ１３）、処理をステップＳ２へ戻す。その後のステップＳ４におけるリスト表示画面の更新の際に、例えば、図２のリスト表示画面Ｐ１のように、エラーが発生していた印刷ジョブが印刷ジョブキューから削除され保留ジョブとされたことを示すリスト表示画面が表示される。
また、ステップＳ１２において、保留ジョブとする指示がされなかった場合（ＮＯの場合）、印刷装置１では、例えば図３の表示画面Ｐ２の保留ジョブボックスＰ２１に対して操作がなされたかに基いて、保留ジョブのリスト表示指示がなされたか否か判定する（ステップＳ１４）。
【００２８】
印刷装置１は、ステップＳ１４において、保留ジョブのリスト表示指示がなされなかった場合（ＮＯの場合）、処理をステップＳ２へ戻し、保留ジョブのリスト表示指示がなされた場合（ＹＥＳの場合）、印刷ジョブ管理部９にて管理している情報に基いて、図４の保留ジョブ表示画面Ｐ３等の保留ジョブのリスト表示画面を表示部４ｂに表示し（ステップＳ１５）、処理をステップＳ１６へ進める。
【００２９】
ステップＳ１６において、印刷装置１は、保留ジョブを印刷ジョブキューに戻す指示がされたか否かを、例えば図４の保留ジョブ表示画面Ｐ３の矢印Ｐ３４に対して操作があったか否かに基いて判定する。印刷装置１は、ステップＳ１６において戻す指示がされた場合（ＹＥＳの場合）、印刷ジョブ管理部９にて保留ジョブを印刷ジョブキューの先頭に登録し、処理をステップＳ１５に戻す。この場合において、ステップＳ１５では、印刷ジョブキューに戻された保留ジョブが削除されたリスト表示画面が表示される。
【００３０】
ステップＳ１６において戻す指示がされなかった場合（ＹＥＳの場合）、未処理の印刷ジョブのリスト表示に切り替える指示がなされたか否かを、例えば図４の保留ジョブ表示画面Ｐ３の「戻る」ボタンＰ３５に対して操作があったか否かに基いて判定する（ステップＳ１８）。印刷装置１は、切り替える指示がなかった場合（ＮＯの場合）、処理をステップＳ１５に戻し、切り替える指示があった場合（ＹＥＳの場合）、印刷ジョブ管理部９にて管理している情報に基いて、未処理の印刷ジョブを表示部４ｂにリスト表示し（ステップＳ１９）、印刷装置１は処理をステップＳ２に戻す。ステップＳ２に処理を戻した際、第１の印刷ジョブが未だエラーの状態であれば、図２や図６のリスト画面表示Ｐ１，Ｐ４が表示されることになる。
【００３１】
なお、保留ジョブを印刷ジョブキューに戻すタイミングは、上述のようなユーザ操作に応じたものに限られず、一定時間経過後であってもよい。
【００３２】
図７は、本発明の印刷装置の他の例の構成を示すブロック図である。なお、図１の印刷装置１と同様な構成については同じ符号を付すことによりその説明を省略する。図８は、図７の印刷装置の表示部に表示される表示画面の一例を示す図である。なお、図７において、図３と同様な部分については同じ参照符号を付すことによりその説明を省略する。また、図９及び図１０は、図７の印刷装置１´の処理例を示すフローチャートである。
【００３３】
図７の印刷装置１´と図１の印刷装置１は、図７の印刷装置１´の印刷ジョブ管理部９´がさらに後述のログイン検出部９ｂを有する点で異なる。
エラーが発生している印刷ジョブが保留ジョブとされると、印刷ジョブキュー内の他の印刷ジョブは順次実行され、印刷ジョブキューから消去される。その消去後、印刷ジョブキュー内の印刷ジョブのリスト表示指示が行われると、例えば、図８のリスト表示画面Ｐ５が表示される。
【００３４】
このように保留ジョブが存在する状態において、当該保留ジョブを印刷指示したユーザがネットワークを介してＰＣ１２等から印刷装置１´にログインしたことをログイン検出部９ｂにて検出すると、印刷装置１´では、印刷ジョブ管理部９ｂ´が当該保留ジョブを印刷ジョブキューに自動的に先頭の印刷ジョブすなわち第１の印刷ジョブとして登録する。その際、印刷ジョブキュー内の印刷ジョブの表示指示がなされると、図２や図６のリスト画面表示Ｐ１，Ｐ４が表示されることになる。
【００３５】
また、印刷装置１´では、印刷ジョブリスト内にエラー状態の印刷ジョブがある状態において、当該印刷ジョブを印刷指示したユーザのログアウトを検出することにより、印刷ジョブ管理部９´が当該印刷ジョブを印刷ジョブリストから除外し、保留ジョブとして記憶部６に記憶する。その際、印刷ジョブキュー内の印刷ジョブの表示指示がなされると、図３や図８のリスト画面表示Ｐ２，Ｐ５が表示されることになる。
【００３６】
続いて、図９及び図１０を用いて、図７の印刷装置１´の処理例を説明する。なお、図５と同様な処理については同じステップ番号を付すことによりその説明を省略する。
図７の印刷装置１´では、図５を用いて説明したステップＳ４とステップＳ５の処理の間に以下の処理を行う。
まず、印刷装置１´では、ステップＳ４の処理が終了すると、ユーザがＰＣ１２等からネットワークを介して印刷装置１´に対しログインしたか否かをログイン検出部９ｂにて判定し（ステップＳ２１）、ログインしていない場合（ＮＯの場合）、ステップＳ２４へ処理を進め、ログインしている場合（ＹＥＳの場合）、ステップＳ２２へ処理を進める。
【００３７】
ステップＳ２２では、印刷装置１´は、ログインしたユーザが印刷指示した保留ジョブがあるか否かをログイン検出部９ｂにて判定し、保留ジョブがない場合（ＮＯの場合）、ステップＳ２４へ処理をそのまま進め、保留ジョブがある場合（ＹＥＳの場合）、印刷ジョブ管理部９´にて当該保留ジョブを印刷ジョブキューの先頭に登録したうえで（ステップＳ２３）、ステップＳ２４へ処理を進める。
【００３８】
ステップＳ２４では、印刷装置１´は、ＰＣ１２等からネットワークを介してログインしていたユーザが当該印刷装置１´からログアウト操作をしたか否か判定し、ログアウト操作をしていない場合（ＮＯの場合）、ステップＳ５へ処理を進め、ログアウト操作をしていた場合（ＹＥＳの場合）、ステップＳ２５へ処理を進める。
【００３９】
ステップＳ２５では、印刷装置１´は、ログアウト操作したユーザが印刷指示した印刷ジョブでエラー状態にあるものがあるか否かを判定し、エラー状態の印刷ジョブがない場合（ＮＯの場合）、ステップＳ２７へ処理をそのまま進め、エラー状態の印刷ジョブがある場合（ＹＥＳの場合）、印刷ジョブ管理部９´にて当該印刷ジョブを印刷ジョブキューから除去し保留ジョブとして記憶部６に記憶したうえで（ステップＳ２６）、ステップＳ２７へ処理を進める。
【００４０】
印刷装置１´は、ステップＳ２７において、ログアウト処理を行った後、処理をステップＳ５に進める。
【００４１】
なお、図１の印刷装置１においても、図７の印刷装置１´と同様に、保留ジョブを印刷ジョブキューに戻すタイミングを、保留ジョブを印刷指示したユーザがログアウトしたタイミングとしてもよい。
また、図１の印刷装置１では、保留ジョブを印刷ジョブキューに戻すタイミングを、保留ジョブを印刷指示したユーザがログインしたタイミングとしてもよい。
【００４２】
なお、以上の例では、保留ジョブを印刷ジョブキューに戻す際、先頭に登録していたが、印刷ジョブキュー内に他に印刷ジョブがある場合は、先頭に登録することが必要なわけではなく、先頭以降の印刷ジョブとして登録してもよい。
【００４３】
印刷装置は、印刷ジョブキューの管理を含む印刷ジョブの管理を行う印刷ジョブ管理部と、前記印刷ジョブキュー内の印刷ジョブの処理結果に基づいて順次画像形成する画像形成部と、印刷ジョブの情報を記憶する記憶部と、少なくとも前記印刷ジョブキュー内の印刷ジョブをリスト表示可能な表示部とを備え、前記表示部が、前記リスト表示の際、エラーが発生している印刷ジョブについてエラーが発生していることを判別可能に表示し、前記印刷ジョブ管理部が、前記印刷ジョブキュー内のエラーが発生している印刷ジョブに対してユーザが除外操作を行ったことを検出する除外操作検出部を有し、該除外操作検出部が前記除外操作を検出したときに当該印刷ジョブを前記印刷ジョブキューから保留ジョブとして除外し、該保留ジョブを前記記憶部に記憶させ、前記表示部が、前記保留ジョブとされた印刷ジョブが存在することを表示し、前記印刷ジョブ管理部が、所定のタイミングで、前記保留ジョブとされた印刷ジョブを前記印刷ジョブキューに戻すものであってよい。これにより、複数の印刷ジョブの中のエラー状態の印刷ジョブをユーザが確認でき、エラー状態の印刷ジョブを後に忘れずに処理することができ、さらに、エラー状態の印刷ジョブ以外の印刷ジョブを全て処理するときにユーザに手間がかからない。
【００４４】
好ましくは前記印刷ジョブ管理部が、前記保留ジョブとされた印刷ジョブの印刷指示を行ったユーザが再ログインしたことを検出するログイン検出部を有し、前記再ログインを検出したときに、当該保留ジョブを前記印刷ジョブキュー内に戻すものであってよい。この場合、ユーザが操作しなくとも、保留ジョブとされた印刷ジョブを自動的に処理することができる。
【００４５】
また、前記印刷ジョブ管理部が、前記エラーが発生している印刷ジョブが前記印刷ジョブキュー内に存在する状態で、当該印刷ジョブの印刷指示を行ったユーザが当該印刷装置からログアウトしたことを検出したときに、当該印刷ジョブを前記印刷ジョブキューから除外し前記保留ジョブとするものであってよい。この場合、エラーが発生している印刷ジョブがジョブキュー内に残り、当該印刷ジョブの後続の印刷ジョブの処理が妨げられるのを防ぐことができる。
【符号の説明】
【００４６】
１，１´…印刷装置、２…制御部、３…ネットワークＩＦ、４…操作表示部、４ａ…入力部、４ｂ…表示部、５…通信部、６…記憶部、７…画像形成部、８…印刷画像データ生成部、９，９´…印刷ジョブ管理部、９ａ…除外操作検出部、９ｂ…ログイン検出部。
【図１】
2014201038.tif 000003
【図２】
2014201038.tif 000004
【図３】
2014201038.tif 000005
【図４】
2014201038.tif 000006
【図５】
2014201038.tif 000007
【図６】
2014201038.tif 000008
【図７】
2014201038.tif 000009
【図８】
2014201038.tif 000010
【図９】
2014201038.tif 000011
【図１０】
2014201038.tif 000012
【図１１】
2014201038.tif 000013